(57)【要約】【課題】複数の診療データをグラフ表示する診療情報表示制御装置および方法並びにプログラムにおいて、注目する診療項目の診療データを中心とする複数のグラフ表示を行い、かつ各グラフの値を適切に読み取ることができるようにする。【解決手段】複数の診療項目のうちのいずれかの診療項目の選択を受け付ける診療項目選択受付部１２と、その選択された診療項目の診療データの値に基づいて予め設定された類似条件を満たす値の診療データを有する診療項目を複数の診療項目の中から選別する診療項目選別部１３と、複数の診療項目の診療データのうち、上記選択された診療項目の診療データおよび上記選別された診療項目の診療データのみを同一スケールの軸を用いて同一表示領域内にグラフ表示させる表示制御部１５とを備えたものであることを特徴とする。【選択図】図１
2015102985.tif 000002
【特許請求の範囲】
【請求項１】
複数の診療項目のうちのいずれかの診療項目の選択を受け付ける診療項目選択受付部と、
前記選択された診療項目の診療データの値に基づいて予め設定された類似条件を満たす値の診療データを有する診療項目を前記複数の診療項目の中から選別する診療項目選別部と、
前記複数の診療項目の診療データのうち、前記選択された診療項目の診療データおよび前記選別された診療項目の診療データのみを同一スケールの軸を用いて同一表示領域内にグラフ表示させる表示制御部とを備えたものであることを特徴とする診療情報表示制御装置。
【請求項２】
前記診療項目選別部が、前記選択された診療項目の診療データの単位とは異なる単位の診療項目を選別可能なものである請求項１記載の診療情報表示制御装置。
【請求項３】
前記類似条件が、前記選択された診療項目の診療データの最小値から最大値までの範囲に基づいて設定されている請求項１または２記載の診療情報表示制御装置。
【請求項４】
前記類似条件が、前記選択された診療項目の診療データの平均値に基づいて設定されている請求項１または２記載の診療情報表示制御装置。
【請求項５】
前記類似条件が、前記選択された診療項目の診療データの平均値および標準偏差に基づいて設定されている請求項１または２記載の診療情報表示制御装置。
【請求項６】
前記類似条件が、前記選択された診療項目の診療データの予め設定された基準値に基づいて設定されている請求項１または２記載の診療情報表示制御装置。
【請求項７】
前記複数の診療項目の診療データが、時系列に取得されたものであることを特徴とする請求項１から６いずれか１項記載の診療情報表示制御装置。
【請求項８】
前記表示制御部が、少なくとも３つの診療項目の診療データを前記同一表示領域内に表示可能なものであることを特徴とする請求項１から７いずれか１項記載の診療情報表示制御装置。
【請求項９】
前記診療項目選別部が、前記選択された診療項目の診療データの単位と同じ単位の診療項目を選別するものである請求項１記載の診療情報表示制御装置。
【請求項１０】
複数の診療項目のうちのいずれかの診療項目の選択を受け付け、
前記選択された診療項目の診療データの値に基づいて予め設定された類似条件を満たす値の診療データを有する診療項目を前記複数の診療項目の中から選別し、
前記複数の診療項目の診療データのうち、前記選択された診療項目の診療データおよび前記選別された診療項目の診療データのみを同一スケールの軸を用いて同一表示領域内にグラフ表示させることを特徴とする診療情報表示制御方法。
【請求項１１】
コンピュータを、複数の診療項目のうちのいずれかの診療項目の選択を受け付ける診療項目選択受付部と、
前記選択された診療項目の診療データの値に基づいて予め設定された類似条件を満たす値の診療データを有する診療項目を前記複数の診療項目の中から選別する診療項目選別部と、
前記複数の診療項目の診療データのうち、前記選択された診療項目の診療データおよび前記選別された診療項目の診療データのみを同一スケールの軸を用いて同一表示領域内にグラフ表示させる表示制御部として機能させることを特徴とする診療情報表示制御プログラム。
【発明の詳細な説明】
【技術分野】
【０００１】
本発明は、複数の診療項目の診療データを表示させる診療情報表示制御装置および方法並びにプログラムに関するものである。
【背景技術】
【０００２】
近年、医師によって診療が行われる際、疾患の進行状況や治療方針などを決定するため、患者に対して実施された複数の検査結果などの診療データをディスプレイに表示させるシステムが提案されている。
【０００３】
患者に実施される検査や治療には様々な種類があり、これらの多数の診療データを同時にグラフ表示させて観察することによって総合的な診療が可能である。
【先行技術文献】
【特許文献】
【０００４】
【特許文献１】特開２００３−１６２５８０号公報
【特許文献２】特開平０６−２４７８７９号公報
【発明の概要】
【発明が解決しようとする課題】
【０００５】
ここで、上述したような種々の診療データをグラフ表示させる場合、各診療データの値の範囲はそれぞれ異なるため、各診療データに対する値軸はそれぞれ異なることになる。
【０００６】
一方、グラフの表示領域には制限があるため、これらのグラフを同一表示領域に同時に表示させる場合がある。このような場合、値の範囲が異なる各診療データに対して、それぞれ異なるスケールの値軸を表示させることは困難である。
【０００７】
したがって、各診療データのグラフの変化点などの値を値軸から読み取ることはできない。また、値を読み取るためにグラフの変化点などの位置に値を表すテキストを表示させる方法があるが、グラフとテキストとが重なってしまうためグラフが非常に見難い表示となる。
【０００８】
また、医師が診療を行う際、特定の疾患の診療に重要と考えられている診療項目の診療データに注目して観察したい場合がある。このような場合、多数の診療データのうち、注目する特定の診療データのみを表示させることが望ましい。
【０００９】
特許文献１および特許文献２においては、特定の診療データの組み合わせをテンプレートやグループとして予め設定しておき、このテンプレートやグループを選択することによって、特定の診療データの表示に絞り込む方法が提案されている。
【００１０】
しかしながら、特許文献１や特許文献２に記載の方法では、予めテンプレートやグループを設定しておく必要がある。また、新たに追加された診療データなどは、予め設定されたテンプレートやグループに含まれていないため、これらの設定変更を行わない限り、絞り込み表示の対象とすることができない。
【００１１】
本発明は、上記事情に鑑み、注目する診療項目の診療データを中心とする複数のグラフ表示を行うことができ、かつグラフの値を適切に読み取ることができる診療情報表示制御装置および方法並びにプログラムを提供することを目的とするものである。
【課題を解決するための手段】
【００１２】
本発明の診療情報表示制御装置は、複数の診療項目のうちのいずれかの診療項目の選択を受け付ける診療項目選択受付部と、その選択された診療項目の診療データの値に基づいて予め設定された類似条件を満たす値の診療データを有する診療項目を複数の診療項目の中から選別する診療項目選別部と、複数の診療項目の診療データのうち、上記選択された診療項目の診療データおよび上記選別された診療項目の診療データのみを同一スケールの軸を用いて同一表示領域内にグラフ表示させる表示制御部とを備えたものであることを特徴とする。
【００１３】
また、上記本発明の診療情報表示制御装置においては、診療項目選別部を、上記選択された診療項目の診療データの単位とは異なる単位の診療項目を選別可能なものとできる。
【００１４】
また、類似条件を、上記選択された診療項目の診療データの最小値から最大値までの範囲に基づいて設定することができる。
【００１５】
また、類似条件を、上記選択された診療項目の診療データの平均値に基づいて設定することができる。
【００１６】
また、類似条件を、上記選択された診療項目の診療データの平均値および標準偏差に基づいて設定することができる。
【００１７】
また、類似条件を、上記選択された診療項目の診療データの予め設定された基準値に基づいて設定することができる。
【００１８】
また、複数の診療項目の診療データを、時系列に取得されたものとできる。
【００１９】
また、表示制御部を、少なくとも３つの診療項目の診療データを同一表示領域内に表示可能なものとできる。
【００２０】
また、診療項目選別部を、上記選択された診療項目の診療データの単位と同じ単位の診療項目を選別するものとできる。
【００２１】
本発明の診療情報表示制御方法は、複数の診療項目のうちのいずれかの診療項目の選択を受け付け、その選択された診療項目の診療データの値に基づいて予め設定された類似条件を満たす値の診療データを有する診療項目を複数の診療項目の中から選別し、複数の診療項目の診療データのうち、上記選択された診療項目の診療データおよび上記選別された診療項目の診療データのみを同一スケールの軸を用いて同一表示領域内にグラフ表示させることを特徴とする。
【００２２】
本発明の診療情報表示制御プログラムは、コンピュータを、複数の診療項目のうちのいずれかの診療項目の選択を受け付ける診療項目選択受付部と、その選択された診療項目の診療データの値に基づいて予め設定された類似条件を満たす値の診療データを有する診療項目を複数の診療項目の中から選別する診療項目選別部と、複数の診療項目の診療データのうち、上記選択された診療項目の診療データおよび上記選別された診療項目の診療データのみを同一スケールの軸を用いて同一表示領域内にグラフ表示させる表示制御部として機能させることを特徴とする。
【発明の効果】
【００２３】
本発明の診療情報表示制御装置および方法並びにプログラムによれば、複数の診療項目のうちのいずれかの診療項目の選択を受け付け、その選択された診療項目の診療データの値に基づいて予め設定された類似条件を用いて、類似する値の診療データを有する診療項目を選別し、複数の診療項目の診療データのうち、上記選択された診療項目の診療データおよび上記選別された診療項目の診療データのみを同一スケールの軸を用いて同一表示領域内にグラフ表示させようにしたので、注目する診療項目の診療データを中心とする複数のグラフを同一表示領域内に表示させることができ、かつ同一スケールの軸を用いているのでグラフの値を適切に読み取ることができる。また、これにより診療データに基づく診断が容易となり、診療データを参照する時間も短縮することができる。
【図面の簡単な説明】
【００２４】
【図１】本発明の診療情報表示制御装置の一実施形態を用いた診療情報表示システムの概略構成を示すブロック図
【図２】診療情報表示画面の一例を示す図
【図３】図１に示す診療情報表示システムの作用を説明するためのフローチャート
【図４】複数の診療データのグラフを同一表示領域内に表示した場合の問題点を説明するための図
【図５】同じ単位の診療データに絞り込んでグラフ表示した例を示す図
【図６】ユーザによって選択された診療項目の診療データと予め設定された類似条件に基づいて選別された診療項目の診療データのみをグラフ表示した例を示す図
【発明を実施するための形態】
【００２５】
以下、本発明の診療情報表示制御装置および方法並びにプログラムの一実施形態を用いた診療情報表示システムについて、図面を参照しながら詳細に説明する。図１は、本実施形態の診療情報表示システム１の概略構成を示すブロック図である。
【００２６】
本実施形態の診療情報表示システム１は、図１に示すように、診療情報表示制御装置１０と、診療科端末２０と、電子カルテ保管サーバ３０と、検査データ管理サーバ４０と、画像診断システム５０とを備え、これらは、たとえば有線または無線ＬＡＮや、インターネット回線などのネットワークを介して接続されている。
【００２７】
診療情報表示制御装置１０は、診療科端末２０において入力された患者の識別情報を受け付け、その患者に関する診療情報を電子カルテ保管サーバ３０、検査データ管理サーバ４０および画像診断システム５０からそれぞれ収集し、その収集した情報を統合した診療情報表示画面を生成して診療科端末２０のモニタ２１に表示させるものである。
【００２８】
具体的には、診療情報表示制御装置１０は、図１に示すように、診療情報記憶部１１と、診療項目選択受付部１２と、診療項目選別部１３と、対応診療項目情報記憶部１４と、表示制御部１５とを備えている。
【００２９】
診療情報表示制御装置１０は、コンピュータに本発明の診療情報表示制御プログラムの一実施形態をインストールしたものである。そして、中央処理装置（ＣＰＵ）によって上記診療情報表示制御プログラムが実行されることによって上述した診療情報記憶部１１と、診療項目選択受付部１２と、診療項目選別部１３と、対応診療項目情報記憶部１４と、表示制御部１５とが機能する。上記診療情報表示制御プログラムは、ＣＤ−ＲＯＭなどの記録媒体に記録されたものを用いてもよいし、インターネットを経由してサーバなどからダウンロードしたものを用いてもよいし、インターネットを介してＳａａＳ（Software as a Service）によって提供されるものを用いてもよい。
【００３０】
診療情報記憶部１１は、ハードディスクなどのストレージデバイスを備えたものであり、診療科端末２０から入力された識別情報によって特定された患者の診療情報が記憶されるものである。患者の識別情報とその患者の診療情報とは紐付けされて管理されており、その患者の識別情報に基づいて、電子カルテ保管サーバ３０、検査データ管理サーバ４０および画像診断システム５０から診療情報が読み出されて診療情報記憶部１１に記憶される。
【００３１】
診療情報としては、患者の名前、年齢、性別などといった基本情報と、患者の疾患の種類を示す疾患情報と、投薬量、点滴量、検体検査データ、バイタル、放射線画像、超音波画像などの種々の診療データとがある。なお、診療データは、患者の診断や治療を目的として取得されたデータであれば如何なるものでもよい。
【００３２】
診療情報に含まれる基本情報および疾患情報などは、電子カルテ保管サーバ３０における患者の電子カルテから読み出されるものであるが、必ずしも電子カルテから取得しなくてもよく、その他のサーバなどにおいてこれらの情報を管理しておき、そのサーバから取得するようにしてもよい。
【００３３】
診療情報に含まれる診療データは、たとえば投薬量、点滴量およびバイタルなどは電子カルテ保管サーバ３０における電子カルテ内から読み出され、検体検査データなどの検査データは検査データ管理サーバ４０から読み出され、画像情報は画像診断システム５０の画像管理サーバ５１から読み出されるものである。ただし、これに限らず、その他のサーバなどに保存された診療データを取得するようにしてもよい。
【００３４】
診療項目選択受付部１２は、所定の患者について診療データが取得された複数の診療項目のうち、医師などのユーザが注目するいずれかの診療項目の選択を受け付けるものである。
【００３５】
診療項目選別部１３は、診療項目選択受付部１２において選択された診療項目の診療データの値の範囲に基づいて、予め設定された類似条件を満たす値の診療データを有する診療項目を複数の診療項目の中から選別するものである。
【００３６】
上記類似条件とは、ユーザによって選択された診療項目の診療データの値の範囲に対して、類似した範囲の値の診療データを有する診療項目を推定するための条件であって、ユーザによって選択された診療項目の診療データの値の範囲に基づいてユーザによって予め設定されるものである。
【００３７】
具体的には、たとえば、ユーザによって選択された診療項目の診療データの最小値から最大値までの範囲内に全ての診療データの値が存在するか否かを類似条件とすることができる。また、最小値から最大値までの範囲に限らず、最小値から最大値までの範囲に対して予め設定された値を加算または減算した範囲内または最小値から最大値までの範囲に対して予め設定された比率を乗算した範囲内に全ての診療データの値が存在するか否かを類似条件とすることができる。なお、上記範囲の上限と下限は異なる値でもよい。
【００３８】
また、類似条件を、ユーザによって選択された診療項目の診療データの平均値に基づいて設定するようにしてもよい。具体的には、選択された診療項目の診療データの平均値を含む予め設定された範囲内に全ての診療データの値が存在するか否かを類似条件としてもよい。また、この場合、上述した範囲内に診療データの平均値が存在するか否かを類似条件としてもよい。なお、上記予め設定された範囲としては、平均値から予め設定された値を減算した値を下限とし、平均値に予め設定された値を加算した値を上限とした範囲としてもよいし、平均値に対して予め設定された比率を乗算して下限と上限を求めた範囲としてもよい。なお、上記範囲の上限と下限も異なる値でもよい。
【００３９】
また、上述したように類似条件を、選択された診療項目の診療データの平均値に基づいて設定する場合、さらにその診療データの標準偏差も考慮するようにしてもよい。具体的には、選択された診療項目の診療データの平均値を含む予め設定された範囲内に診療データの平均値が存在するか否かと、選択された診療項目の診療データの標準偏差の範囲を含む予め設定された範囲内に診療データの標準偏差の範囲が存在するか否かとの両方の条件を類似条件としてもよい。すなわち、診療データの平均値が類似し、かつ診療データの標準偏差が類似しているか否かを類似条件としてもよい。
【００４０】
また、類似条件を、ユーザによって選択された診療項目の診療データの基準値に基づいて設定するようにしてもよい。基準値としては、たとえば、選択された診療項目の診療データの正常値や標準値などを用いることができ、この基準値は予め設定されるものである。
【００４１】
具体的には、選択された診療項目の診療データの基準値を含む予め設定された範囲内に全ての診療データの値が存在するか否かを類似条件としてもよい。また、この場合、上述した範囲内に診療データの基準値が存在するか否かを類似条件としてもよい。なお、上記予め設定された範囲としては、平均値の場合と同様に、基準値から予め設定された値を減算した値を下限とし、基準値に予め設定された値を加算した値を上限とした範囲としてもよいし、平均値に対して予め設定された比率を乗算して下限と上限を求めた範囲としてもよい。なお、上記範囲の上限と下限も異なる値でもよい。
【００４２】
対応診療項目情報記憶部１４は、患者の疾患情報とその疾患情報に関連する診療項目とを対応付けたテーブルが予め記憶されたものである。疾患情報に関連する診療項目としては、その疾患の進行状況を把握するために必要な検査項目や、その疾患を治療するために必要な投薬や点滴などの項目などがある。
【００４３】
表示制御部１５は、識別情報によって特定された患者の複数の診療項目の診療データを診療情報表示画面に表示させるものである。具体的には、本実施形態の表示制御部１５は、患者の疾患情報をリスト表示させ、その中から選択された疾患情報に基づいて対応診療項目情報記憶部１４に記憶されているテーブルを参照することによって、選択された疾患情報に対応付けられた診療項目を特定し、その特定した診療項目の診療データを取得して時系列に診療情報表示画面に表示させるものである。
【００４４】
そして、本実施形態の表示制御部１５は、上述したように疾患情報に対応付けられた複数の診療項目のうち、ユーザが注目する診療項目の選択が診療項目選択受付部１２によって受け付けられた場合には、その選択された診療項目の診療データおよび上述した診療項目選別部１３によって選別された診療項目の診療データのみを同一スケールの軸を用いて同一表示領域内にグラフ表示させるものである。すなわち、本実施形態の表示制御部１５は、ユーザによって注目する診療項目が選択された場合には、その選択された診療項目の診療データと、その診療データの値に対して、類似する範囲の値の診療データとのみを同一スケールの軸を用いて表示させ、その他の診療項目の診療データは表示させないようにしたものである。
【００４５】
これにより、表示対象の診療項目を絞り込むことができるので、注目する診療項目の診療データを中心とする観察が容易となる。また、複数の診療項目の診療データを同一軸を用いてグラフ表示させるので、異なる診療項目の診療データ同士の値の大きさの比較を容易に行うことができる。
【００４６】
次に、表示制御部１５によって診療科端末２０のモニタ２１に表示される診療情報表示画面について説明する。図２は、診療情報表示画面の一例を示すものである。
【００４７】
診療情報表示画面は、図２に示すように、基本情報表示欄Ｒ１と、疾患情報リスト表示欄Ｒ２と、診療データ取得期間表示欄Ｒ３と、診療データ表示欄Ｒ４と、診療項目リスト表示欄Ｒ５とを備えている。
【００４８】
基本情報表示欄Ｒ１は、患者の識別情報（患者ＩＤ）、名前、年齢、性別などの基本情報が表示される欄である。
【００４９】
疾患情報リスト表示欄Ｒ２は、識別情報によって特定された患者の疾患情報がリスト表示される欄である。また、疾患情報リスト表示欄Ｒ２には、各疾患情報について、それぞれチェックボックスが表示される。このチェックボックスがユーザによってチェックされることによって、疾患情報リストの中から診療データの表示対象の疾患情報が選択され、その選択情報が、表示制御部１５によって取得される。
【００５０】
診療データ取得期間表示欄Ｒ３は、識別情報によって特定された患者について、診療データが取得された期間の概略が表示される欄である。診療データ取得期間表示欄Ｒ３の横軸は時間軸を示しており、右端が現在の日時を示している。診療データ取得期間表示欄Ｒ３には、基本的には診療データが存在する期間が、横方向に延びる棒状のグラフとして表示されるが、ここでは概略表示を行うため、診療データが存在しない期間が予め設定された期間よりも短い場合には、その期間も診療データが存在する期間と仮定して連続した棒状のグラフが表示される。
【００５１】
また、診療データ取得期間表示欄Ｒ３は、診療データが表示される診療データ表示欄Ｒ４の横軸の表示期間の指定を受け付ける欄である。図２に示すように、診療データ取得期間表示欄Ｒ３において、ユーザによって矩形領域ＴＲが入力され、この矩形領域ＴＲの左端の時点から右端の時点までの期間が診療データの表示期間として指定される。そして、診療データ取得期間表示欄Ｒ３において指定された表示期間が、診療データ表示欄Ｒ４の横軸の表示期間のスケールとして設定される。すなわち、診療データ取得期間表示欄Ｒ３の矩形領域ＴＲの左端の時点が、診療データ表示欄Ｒ４の左端の時点に設定され、矩形領域ＴＲの右端の時点が、診療データ表示欄Ｒ４の右端の時点に設定される。これによりユーザは、診療データ表示欄Ｒ４の診療データの表示期間を任意に変更することができる。
【００５２】
診療項目リスト表示欄Ｒ５は、疾患情報リスト表示欄Ｒ２においてユーザによって選択された疾患情報に関連する診療項目が表示される欄である。疾患情報に関連する診療項目は、対応診療項目情報記憶部１４から読み出され、表示制御部１５によって診療項目リスト表示欄Ｒ５に表示される。
【００５３】
診療データ表示欄Ｒ４は、診療項目リスト表示欄Ｒ５に表示された診療項目の診療データが表示される欄であり、数値データ表示欄Ｒ４１と、投薬期間表示欄Ｒ４２と、画像情報表示欄Ｒ４３とから構成されている。
【００５４】
数値データ表示欄Ｒ４１は、検査データで取得される検体検査データや、バイタルデータや、血液検査データなどを表示する欄であり、図２に示すように、数値データをグラフとして表示することができる。数値データ表示欄Ｒ４１に表示されるグラフの数は、疾患情報に関連する診療項目の数によるが、本実施形態においては、少なくとも３つ以上のグラフが表示可能なように構成されている。
【００５５】
また、診療項目リスト表示欄Ｒ５には、各診療項目について、それぞれチェックボックスが表示される。このチェックボックスがユーザによってチェックされることによって、複数の診療項目の中からユーザが注目する診療項目が選択され、その選択情報が、上述した診療項目選択受付部１２によって受け付けられる。そして、この際、数値データ表示欄Ｒ４１に表示されるグラフは、ユーザによって選択された診療項目の診療データのグラフと診療項目選別部１３によって選別された診療項目の診療データのグラフのみとなる。また、この際、数値データ表示欄Ｒ４１の縦軸のスケールは、表示されるグラフの診療データの値の範囲に応じた１つのスケールに設定される。
【００５６】
また、投薬期間表示欄Ｒ４２は、投薬量や点滴量の数値データをテキストで表示するとともに、その投薬や点滴が行われた期間を横方向の延びる線分で表示する。
【００５７】
また、画像情報表示欄Ｒ４３は、画像情報を表示する欄であり、画像情報のモダリティを示すテキストと画像情報のサムネイルとを表示することができる。このサムネイルが表示される位置は、その画像情報が取得された時点を表している。画像情報表示欄Ｒ４３に表示されたサムネイルをユーザが選択した際には、その元の画像が別の画面上に表示される。
【００５８】
診療科端末２０は、モニタとキーボードおよびマウスなどの入力装置とを備えたものである。診療科端末２０のモニタは、図２に示す診療情報表示画面を表示するものである。また、診療科端末２０のキーボードおよびマウスは、患者の識別情報の入力や、疾患情報リスト表示欄Ｒ２および診療項目リスト表示欄Ｒ５におけるチェックボックスの指定入力など、ユーザによる種々の入力を受け付けるものである。
【００５９】
電子カルテ保管サーバ３０は、複数の患者の電子カルテを管理するものである。電子カルテ保管サーバ３０には、複数の患者の電子カルテが患者の識別情報と紐付けされて保管されている。電子カルテ保管サーバ３０は、診療科端末２０において入力された患者の識別情報を取得し、その識別情報に紐付けされた電子カルテの情報を診療情報表示制御装置１０に出力するものである。電子カルテには、上述したように患者の基本情報や、投薬および点滴の薬剤の種類や量、投薬期間、バイタルの情報、疾患情報などの情報が含まれている。
【００６０】
検査データ管理サーバ４０は、複数の患者の検体検査データや血液検査データなどの検査データを管理するものである。検査データ管理サーバ４０には、各患者の複数の診療項目の検査データが患者の識別情報と紐付けされて保管されている。検査データ管理サーバ４０は、診療科端末２０において入力された患者の識別情報を取得し、その識別情報に紐付けされた検査データを診療情報表示制御装置１０に出力するものである。なお、検査データは、一旦電子カルテに出力して、電子カルテで保管される形態もある。この場合は、電子カルテから検査データが診療情報表示制御装置１０に出力される。
【００６１】
画像診断システム５０は、複数の患者の画像診療情報を管理するシステムである。画像診断システム５０は、画像管理サーバ５１と、読影レポートサーバ５２とを備えている。画像管理サーバ５１には、各患者の放射線画像などの画像情報が患者の識別情報と紐付けされて保管されている。また、読影レポートサーバ５２には、放射線画像などを観察して医師が作成した読影レポートが保管されており、この読影リポートは画像管理サーバ５１に保管された画像情報と紐付けされて保管されている。画像診断システム５０は、診療科端末２０において入力された患者の識別情報を取得し、その識別情報に紐付けされた画像情報やそのモダリティの情報やその読影レポートを診療情報表示制御装置１０に出力するものである。
【００６２】
次に、本実施形態の診療情報表示システム１の作用について、図３に示すフローチャートを参照しながら説明する。
【００６３】
まず、診療科端末２０において、ユーザによって診療データ表示制御プログラムが起動され、モニタ２１に図２に示す診療情報表示画面が表示される（Ｓ１０）。
【００６４】
次に、診療科端末２０において、患者の識別情報が入力され、その患者の識別情報は、診療情報表示制御装置１０の表示制御部１５によって取得される（Ｓ１２）。
【００６５】
表示制御部１５は、入力された患者の識別情報に基づいて、電子カルテ保管サーバ３０や検査データ管理サーバ４０や画像診断システム５０から、その患者の基本情報、疾患情報、疾患情報の罹患期間情報、診療データなどの診療情報を読み出して取得し、その取得した診療情報を診療情報記憶部１１に一旦記憶する（Ｓ１４）。
【００６６】
そして、表示制御部１５によって診療情報記憶部１１から患者の基本情報が読み出され、診療情報表示画面の基本情報表示欄Ｒ１に基本情報が表示される。
【００６７】
また、表示制御部１５によって患者の疾患情報が取得され、診療情報表示画面の疾患情報リスト表示欄Ｒ２にリスト表示される。
【００６８】
次いで、疾患情報リスト表示欄Ｒ２に表示された疾患情報のリストの中から、ユーザによって少なくとも１つの疾患情報のチェックボックスがチェックされて選択され、その選択情報が表示制御部１５に出力される。
【００６９】
なお、疾患情報のチェックボックスは２つまで選択できるようにすることが好ましい。これはグラフ表示をする際に、左側と右側に縦軸を２軸設け、それぞれ異なる対象データを表示することができるためである。
【００７０】
また、３つ目が選択された場合は、１つ目に選択されたチェックボックスを解除するようにしてもよい。
【００７１】
表示制御部１５は、入力された疾患情報の選択情報に基づいて、対応診療項目情報記憶部１４に記憶されているテーブルを参照し、選択された疾患情報に関連する診療項目の情報を取得する。そして、表示制御部１５は、その取得した疾患情報に関連する診療項目を診療情報表示画面の診療項目リスト表示欄Ｒ５に表示させる。また、表示制御部１５は、診療項目リスト表示欄Ｒ５に表示された診療項目の診療データを診療情報記憶部１１から読み出し、その診療データを数値データ表示欄Ｒ４１に表示させる（Ｓ１６）。
【００７２】
このとき、数値データ表示欄Ｒ４１には、まず、診療項目リスト表示欄Ｒ５に表示された全ての診療項目の診療データのグラフが表示される。各診療項目の診療データは、種々の単位で表されるものであり、その値の範囲も種々の範囲となるが、表示制御部１５は、診療項目リスト表示欄Ｒ５内に全ての診療項目の診療データのグラフが表示されるように、診療項目毎に数値データ表示欄Ｒ４１の縦方向の大きさに合わせてそれぞれ縦軸のスケールを設定し、同一の数値データ表示欄Ｒ４１内に全てのグラフを表示させる。
【００７３】
図４は、診療項目が、「血圧（上）[mmHg]」、「血圧（下）[mmHg]」、「脈拍[回/分]」、「診療項目Ａ[mmHg]」および「診療項目Ｂ[mmHg]」の場合のグラフ表示の一例を示したものである。図４に示すように、このとき、同一の表示領域内（数値データ表示欄Ｒ４１内）に全てのグラフを表示させることができるが、特定の診療項目の診療データのグラフを中心とした観察は困難である。また、診療項目毎に縦軸のスケールが異なるので、たとえば「血圧（上）[mmHg]」と「血圧（下）[mmHg]」のグラフを見た場合、円で囲んだ範囲において、それぞれ値の大きさに対して、プロットされる位置が上下逆転してしまっており、診療データの値を読み取るのも困難な表示となる。
【００７４】
また、このような問題を回避するため、たとえば「血圧（上）[mmHg]」の診療データを中心とした観察を行いたい場合、同じ単位で表される診療項目の診療データのみを抽出し、抽出した全ての診療データを同一スケールの縦軸でグラフ表示することも考えられる。
【００７５】
しかしながら、たとえば図４に示す診療データをそのようなグラフ表示とした場合、「血圧（上）[mmHg]」、「血圧（下）[mmHg]」および「診療項目Ａ[mmHg]」のグラフが同一スケールの縦軸で同一表示領域に表示されることになるが、この場合、「血圧（上）[mmHg]」および「血圧（下）[mmHg]」の診療データの値の範囲に対して、「診療項目Ａ[mmHg]」の値の範囲が大きく異なるので、図５に示すように、「血圧（上）[mmHg]」および「血圧（下）[mmHg]」の診療データの値の変化が殆ど認識できないグラフ表示となってしまう。
【００７６】
そこで、本実施形態の診療情報表示システム１においては、以下のようなグラフ表示を行う。まず、診療項目リスト表示欄Ｒ５のチェックボックスがチェックされることによって、ユーザが注目する診療項目が選択され、その選択情報が診療項目選択受付部１２によって受け付けられる（Ｓ１８）。
【００７７】
診療項目選択受付部１２において選択された診療項目の選択情報が診療項目選別部１３に入力され、診療項目選別部１３は、選択された診療項目の診療データの値の範囲に基づいて、予め設定された類似条件を満たす値の診療データを有する診療項目を複数の診療項目の中から選別する（Ｓ２０）。
【００７８】
そして、表示制御部１５は、ユーザによって選択された診療項目の診療データと診療項目選別部１３によって選別された診療項目の診療データのみを同一スケールの軸を用いて同一表示領域内（数値データ表示欄Ｒ４１内）にグラフ表示させる（Ｓ２２）。
【００７９】
具体的には、たとえばユーザによって「血圧（上）[mmHg]」が選択された場合には、その選択された「血圧（上）[mmHg]」の診療データの値に基づいて予め設定された類似条件を用いて、類似する範囲の値の診療データを有する「血圧（下）[mmHg]」および「脈拍[回/分]」を選別し、図６に示すように、「血圧（上）[mmHg]」、「血圧（下）[mmHg]」および「脈拍[回/分]」の診療データのみを同一スケールの軸を用いて表示させ、その他の診療項目の診療データは表示させないようにする。
【００８０】
これにより、「血圧（上）[mmHg]」の診療データを中心とする観察が容易となる。また、「血圧（上）[mmHg]」および「血圧（下）[mmHg]」の診療データを同一スケールの軸を用いてグラフ表示させるので、上述したように診療データの値の大きさに対してプロット位置が上下逆転することもなく、グラフの値を適切に読み取ることができる。
【００８１】
また、上述したように選択された診療項目の診療データに基づいて設定された類似条件を満たす値を有する診療データの診療項目を選別するようにしたので、図６に示すしょうに「血圧（上）[mmHg]」および「血圧（下）[mmHg]」の単位とは異なる単位で表される「脈拍[回/分]」の診療データも同時に表示させることができ、これも診断材料の１つとして観察することができる。
【００８２】
血圧と脈拍が同時に確認できることで、脳卒中、狭心症、心不全、心疾患などを早期にチェックすることができる。
【００８３】
なお、ここでは異なる単位の診療データを選別して同時に表示させる例について説明したが、必ずしも異なる単位の診療データが選別される訳ではなく、同じ単位の診療データのみが選別される場合もある。また、ユーザによって選択された診療項目の診療データに基づいて設定された類似条件を満たし、かつ同じ単位の診療データを選別するようにしてもよい。
【００８４】
なお、上述した「血圧（上）[mmHg]」および「血圧（下）[mmHg]」と同様に、本実施形態の診療情報表示システムによって適切にグラフ表示することができる診療項目の組み合わせとしては、たとえば肝臓病の検査項目であるGTP(ALT)およびGOT(AST)などがある。GTP(ALT)およびGOT(AST)は同程度の正常値を有する診療項目であり、肝臓に異常がある場合には大抵、GTP(ALT)およびGOT(AST)の両方の数値が上がるため、値の範囲が類似することが多い。このGTP(ALT)およびGOT(AST)の数値そのものや、その大小関係などが疾患の進行度の判断材料となるため、これらを「血圧（上）[mmHg]」および「血圧（下）[mmHg]」と同様に適切にグラフ表示させることは非常に有益である。
【００８５】
また、上記実施形態の説明では、時系列に取得された診療データをグラフ表示させる場合について説明したが、診療データは、必ずしも時系列に取得されたものでなくてもよい。すなわち、数値データ表示欄Ｒ４１の横軸は、必ずしも時間軸でなくてもよく、たとえば横軸を１〜１０、１１〜２０、２１〜３０・・・などといった数値範囲で区切った軸とし、診療データを上記数値範囲毎の頻度としてもよい。
【符号の説明】
【００８６】
１     診療情報表示システム
１０   診療情報表示制御装置
１１   診療情報記憶部
１２   診療項目選択受付部
１３   診療項目選別部
１４   対応診療項目情報記憶部
１５   表示制御部
２０   診療科端末
３０   電子カルテ保管サーバ
４０   検査データ管理サーバ
５０   画像診断システム
５１   画像管理サーバ
５２   読影レポートサーバ
Ｒ１   基本情報表示欄
Ｒ２   疾患情報リスト表示欄
Ｒ３   診療データ取得期間表示欄
Ｒ４   診療データ表示欄
Ｒ４１ 数値データ表示欄
Ｒ４２ 投薬期間表示欄
Ｒ４３ 画像情報表示欄
Ｒ５   診療項目リスト表示欄
【図１】
2015102985.tif 000003
【図３】
2015102985.tif 000004
【図４】
2015102985.tif 000005
【図５】
2015102985.tif 000006
【図６】
2015102985.tif 000007
【図２】
2015102985.tif 000008